(57)【要約】【課題】装着対象部分の寸法に関する装着可能範囲が広く、汎用性が非常に高く、また、極めて容易に着脱することができるクッション材を提供する。【解決手段】表側シート状部材２ａと裏側シート状部材を重ね合わせるとともに、それらの間にバネ板材３を配置してなり、バネ板材３として、長手方向と直交する軸線周りに巻回或いは湾曲するように付勢された帯板状の材料によって構成され、一方の端部から反対側の端部まで完全な直線状となるまで伸展させた場合に、長手方向と直交する断面が円弧状に反った状態となり、巻回或いは湾曲しようとする復元力に抗して、直線状に伸展させた状態が維持されるように構成されたものを使用し、更に、表側シート状部材２ａと裏側シート状部材とが部分的に接合され、接合部分（縫い目４）によってバネ板材３の移動が規制されるように構成した。【選択図】図１
0003214929.tif 000002
【実用新案登録請求の範囲】
【請求項１】
シート状部材にバネ板材を取り付けてなるクッション材であって、
前記バネ板材として、長手方向と直交する軸線周りに巻回或いは湾曲するように付勢された帯板状の材料によって構成され、一方の端部から反対側の端部まで完全な直線状となるまで伸展させた場合に、長手方向と直交する断面が円弧状に反った状態となり、巻回或いは湾曲しようとする復元力に抗して、直線状に伸展させた状態が維持されるように構成されたバネ板材を使用したことを特徴とするクッション材。
【請求項２】
シート状部材として、表側シート状部材と裏側シート状部材を重ね合わせて使用し、それらの間にバネ板材を配置したことを特徴とする、請求項１に記載のクッション材。
【請求項３】
表側シート状部材と裏側シート状部材とが部分的に接合され、当該接合部分によってバネ板材の移動が規制されるように構成されていることを特徴とする、請求項２に記載のクッション材。
【考案の詳細な説明】
【技術分野】
【０００１】
本考案は、要介護者や幼児における怪我を予防するために、介護施設の設備品や家具等に装着するクッション材に関し、特に、装着対象物における様々な形状や寸法に対応し、しかも、極めて容易に着脱することができるクッション材に関する。
【背景技術】
【０００２】
要介護者や幼児における怪我を予防するために、介護施設の設備品（介護用ベッドや車椅子のフレームや手摺、シンクの下側の排水管等）や家具（テーブル、椅子、その他の什器）等に装着して使用されるクッション材が知られている。この種のクッション材としては、装着対象物の形状や寸法等に応じて、単一の材料を適宜成型してなるものが多い。
【０００３】
例えば、ベッドや車椅子の円筒状の手摺の外周面周りに装着できるように、長手方向と直交する断面がＣ字形状となるように成型されたフォームラバー製のクッション材や、断面がＬ字形状となるように成型され、両面テープ等によってテーブルの端縁に貼り付けて使用されるゴム製のクッション材等が知られている。
【先行技術文献】
【特許文献】
【０００４】
【特許文献１】特開平０８−１２０８６８号公報
【考案の概要】
【考案が解決しようとする課題】
【０００５】
従来のクッション材は、上述したように、単一の材料（ゴムやフォームラバー等）を装着対象物の形状や寸法等に応じて成型したものが多いが、断面がＣ字形状のクッション材は、装着対象部分の直径寸法（又は幅寸法）に関し、装着可能な範囲が狭く、また、円筒状の手摺等に対しては好適に装着することができるが、テーブルの端縁等に対しては、良好な装着状態を維持することができず、汎用性が低いという問題がある。また、両面テープ等を用いて装着対象物に貼り付けて使用されるタイプのクッション材は、一度貼り付けたら、簡単には取り外すことができないという問題がある。
【０００６】
本考案は、上記のような従来技術における課題を解決しようとするものであって、装着対象部分の寸法に関する装着可能範囲が広く、また、汎用性が非常に高く、かつ、極めて容易に着脱することができるクッション材を提供することを目的とする。
【課題を解決するための手段】
【０００７】
本考案に係るクッション材は、シート状部材にバネ板材を取り付けてなり、バネ板材として、長手方向と直交する軸線周りに巻回或いは湾曲するように付勢された帯板状の材料によって構成され、一方の端部から反対側の端部まで完全な直線状となるまで伸展させた場合に、長手方向と直交する断面が円弧状に反った状態となり、巻回或いは湾曲しようとする復元力に抗して、直線状に伸展させた状態が維持されるように構成されたバネ板材を使用したことを特徴としている。尚、シート状部材としては、表側シート状部材と裏側シート状部材を重ね合わせて使用することができ、この場合、バネ板材はそれらの間に配置することができる。
【０００８】
尚、このクッション材においては、表側シート状部材と裏側シート状部材とが部分的に接合され、当該接合部分によってバネ板材の移動が規制されるように構成されていることが好ましい。
【考案の効果】
【０００９】
本考案に係るクッション材は、バネ板材によって巻回或いは湾曲する方向へ付勢されているため、装着対象部分の直径寸法又は幅寸法に関し、装着可能な範囲が広く、また、円筒状の手摺や排水管等だけでなく、テーブルの端縁等の平板状の対象物に対しても好適に装着することができ、汎用性が非常に高い。また、簡単な操作のみで、極めて容易に着脱することができる。
【図面の簡単な説明】
【００１０】
【図１】図１は、本考案に係るクッション材１の伸展状態における平面図である。
【図２】図２は、図１に示すＸ−Ｘ線によるクッション材１の部分断面図である。
【図３】図３は、クッション材１をテーブルの天板５の端縁に装着する方法の説明図であって、図１に示すＹ−Ｙ線によるクッション材１（伸展状態）等の断面図である。
【図４】図４は、図１に示すクッション材１をテーブルの天板５の端縁に装着した状態を示す断面図である。
【考案を実施するための形態】
【００１１】
以下、添付図面に沿って本考案に係る「クッション材」を実施するための形態について説明する。図１は、本考案に係るクッション材１の伸展状態における平面図であり、図２は、図１に示すＸ−Ｘ線によるクッション材１の部分断面図である。図１の平面図に示すように、このクッション材１は、基本形状が長方形となるように成形されている。また、このクッション材１は、図２の断面図に示すように、二枚のシート状部材（表側シート状部材２ａ、及び、裏側シート状部材２ｂ）を重ね合わせるとともに、それらの間にバネ板材３を配置した構造となっている。
【００１２】
二枚のシート状部材２ａ，２ｂはいずれも、５ｍｍ程度（３〜７ｍｍ）の厚さを有し、厚さ方向について適度な弾力を有するシート状材料（フォームラバー、合成樹脂繊維を立体的に接合させた３Ｄ構造クッションシート等）によって形成されている。また、これらのシート状部材２ａ，２ｂは、重ね合わせた状態で周縁部が縫着されるとともに、複数箇所において横断方向（図１において縦方向）へ直線状に縫い合わせられる（部分的に接合される）ことにより、縫い目４（接合部分）が形成されており、これらによってバネ板材３の移動が規制されて、位置ずれが防止されるようになっている。
【００１３】
バネ板材３は、ゼンマイバネのように、長手方向と直交する軸線周りに所定半径で巻回或いは湾曲するように付勢された帯板状の材料（金属、合成樹脂、或いは、その他の材料）によって構成され、巻回或いは湾曲した基本状態から力を加えて伸展させた場合でも、加えていた力を解放すると、復元力によって基本状態（即ち、巻回或いは湾曲した状態）に復帰するように構成されている。但し、一方の端部から反対側の端部まで完全な直線状（一直線状）となるまで伸展させた場合には、長手方向と直交する断面が、全長にわたって円弧状に反った状態（図２に示すように、表側シート状部材２ａ側に向かって、バネ板材３の両側縁が反り返った状態）となり、巻回或いは湾曲しようとする復元力に抗して、図１に示すように直線状に伸展させた状態が維持されるように構成されている。
【００１４】
本考案のクッション材１は、以上のような構成に係るものであるところ、テーブルの天板５の端縁等に対して、ワンタッチで簡単に装着することができる。具体的には、まずバネ板材３を伸展させた状態とし、図３に示すように、裏側シート状部材２ｂが天板５側となる向きで、天板５の端縁にクッション材１の中央部Ｍを当接させ、この状態から、クッション材１の上端部Ｕ及び下端部Ｂを、天板５側へ僅かに回動させると、バネ板材３の伸展状態が解除され、図４に示すように、復元力によって全体がＣ字状に湾曲し、上端部Ｕ及び下端部Ｂによって天板５を挟み込み、天板５の端縁を包み込んだ状態（装着状態）となる。
【００１５】
また、本考案のクッション材１は、内挿されているバネ板材３によって全体が巻回或いは湾曲する方向へ付勢されているため、図３に示すような厚さ寸法のテーブルの天板５だけでなく、その１／２、或いは、２倍強の厚さ寸法を有する天板等に対しても好適に装着することができるほか、円筒状の手摺等に対して装着する場合も、その直径寸法に関し装着可能な範囲が広く、汎用性が非常に高いという利点を有している。
【００１６】
尚、本実施形態のクッション材１は、基本形状が長方形となっているが、全体の輪郭形状は長方形に限定されるものではなく、正方形、円形、楕円形、その他の異形（例えば、Ｈ字形）とすることもできる。また、本実施形態においては、三枚のバネ板材３が内挿され、いずれも平行に保持されているが、バネ板材の枚数は三枚には限定されず、一枚のみによって構成することもでき、或いは、五枚のバネ板材を内挿することもでき、更に、三枚のバネ板材をＨ字形に配置することもできる。
【００１７】
また、本実施形態のクッション材１は、表側シート状部材２ａ、及び、裏側シート状部材２ｂを重ね合わせ、これらの間にバネ板材３を配置した構造となっているが、一枚のシート状部材（表側シート状部材２ａ、又は、裏側シート状部材２ｂのいずれか一方のみ）に、バネ板材３を取り付けるようにしてもよい。この場合、シート状部材に対するバネ板材３の固定には、両面テープ、面ファスナー、ホック、その他の手段を適宜採用することができる。
【符号の説明】
【００１８】
１：クッション材、
２ａ：表側シート状部材、
２ｂ：裏側シート状部材、
３：バネ板材、
４：縫い目、
５：テーブルの天板、
Ｂ：下端部、
Ｍ：中央部、
Ｕ：上端部
【図１】
0003214929.tif 000003
【図２】
0003214929.tif 000004
【図３】
0003214929.tif 000005
【図４】
0003214929.tif 000006